(57)【特許請求の範囲】
【請求項１】
監視対象となる複数の弁を識別する弁識別情報が記憶された識別情報記憶部と、
前記識別情報記憶部に記憶されている弁識別情報で特定される弁の開度を制御するポジショナに記憶されているパーシャルストロークテストの結果を含む弁情報を前記弁の弁識別情報と共に、設定されている周期でネットワークを介して取得する取得部と、
前記取得部が取得した弁情報を前記弁識別情報と共に記憶するテスト結果記憶部と、
前記識別情報記憶部に記憶されている弁識別情報で特定される弁の開度を制御するポジショナに記憶されているパーシャルストロークテストの結果に含まれるテスト実施日時が直前に取得を実施した日時より以後となっている弁識別情報を確認する確認部と、
前記テスト結果記憶部に記憶されている前記弁情報を弁識別情報毎に表示部に表示させる表示制御部と、
前記確認部が確認して前記取得部が弁情報を取得していない弁識別情報の弁情報が表示されている領域に弁情報の未取得があることを通知するための未取得表示を前記表示部に表示させる未取得表示制御部と
を備え、
前記取得部は、前記確認部が確認した弁識別情報で特定される弁情報を取得する
ことを特徴とする機器管理装置。
【請求項２】
請求項１記載の機器管理装置において、
前記弁情報は、パーシャルストロークテストの実施予定の日時情報を含むことを特徴とする機器管理装置。
【発明の詳細な説明】
【技術分野】
【０００１】
本発明は、プラントなどで用いられるフィールド機器としてのバルブの状態を把握する機器管理装置に関する。
【背景技術】
【０００２】
調節弁やガスガバナなど、プラントにおいては様々な弁（バルブ）が用いられている。また、プラントにおいては、異常が生じたときに安全を確保するために遮断する緊急遮断弁なども用いられている。この緊急遮断弁は、通常時は全開状態で保持されている。このため、仮に緊急遮断弁が固着して緊急時に動作しない状態にあったとしても、緊急遮断弁の固着を検知することは難しい。
【０００３】
上述した弁の故障を検知するために、弁の全閉テストが定期的に実施される。この全閉テストは、プラントを停止して実施することになるために、コストの高騰を招く。これに対し、パーシャルストロークテスト（Partial Stroke Test；ＰＳＴ）は、弁を全閉にせず、プラントの稼働中に少しだけ作動させて初動動作を確認する。ＰＳＴにより全閉テストの間隔を延ばし、保守メンテナンス費用の削減が可能となる（特許文献１，特許文献２，非特許文献１参照）。
【先行技術文献】
【特許文献】
【０００４】
【特許文献１】特開２０１４−１２６９７５号公報
【特許文献２】特開２０１４−１２６９７６号公報
【非特許文献】
【０００５】
【非特許文献１】西田純，“安全計装システムの最新動向〜ＰＳＴソリューションと統合ソリューション”，計装２００６，ｖｏｌ．４９，Ｎｏ．１１，工業技術社，２００６年。
【発明の概要】
【発明が解決しようとする課題】
【０００６】
ところで、上述したＰＳＴは、上位機器である機器管理装置からの指示、調節弁，ガスガバナ，緊急遮断弁などのポジショナに設定されているスケジュールによる起動、もしくは、スイッチなどによる現場からの起動により実施されている。機器管理装置からの指示による起動でＰＳＴを実施した場合、ＰＳＴの結果が機器管理装置において記録され、管理者が認識できる状態となる。これに対し、スケジュールによって起動されたＰＳＴの結果、現場からの起動によって起動されたＰＳＴの結果は、機器管理装置には記録されていない。
【０００７】
このように、機器管理装置に記録されないＰＳＴの結果は、自動的には管理者に認識できないものとなる。機器管理装置に記録されないＰＳＴの結果は、管理者が、機器管理装置を操作してネットワークで接続されている対象となる弁のポジショナに記録されている結果を確認することになる。このため、管理者が、確認対象となる全ての弁（ポジショナ）を把握していない場合、確認漏れが発生する。また、多数の弁に対して上述した確認作業をすることになるため、非常に煩雑であり、確認が容易ではない。
【０００８】
本発明は、以上のような問題点を解消するためになされたものであり、対象とする全てのパーシャルストロークテストの結果が、機器管理装置において容易に確認できるようにすることを目的とする。
【課題を解決するための手段】
【０００９】
本発明に係る機器管理装置は、監視対象となる複数の弁を識別する弁識別情報が記憶された識別情報記憶部と、識別情報記憶部に記憶されている弁識別情報で特定される弁の開度を制御するポジショナに記憶されているパーシャルストロークテストの結果を含む弁情報を弁の弁識別情報と共に、設定されている周期でネットワークを介して取得する取得部と、取得部が取得した弁情報を弁識別情報と共に記憶するテスト結果記憶部と、識別情報記憶部に記憶されている弁識別情報で特定される弁の開度を制御するポジショナに記憶されているパーシャルストロークテストの結果に含まれるテスト実施日時が直前に取得を実施した日時より以後となっている弁識別情報を確認する確認部とを備え、取得部は、確認部が確認した弁識別情報で特定される弁情報を取得する。
【００１０】
上記機器管理装置において、テスト結果記憶部に記憶されている弁情報を弁識別情報毎に表示部に表示させる表示制御部を備える。また、確認部が確認して取得部が弁情報を取得していない弁識別情報の弁情報が表示されている領域に弁情報の未取得があることを通知するための未取得表示を表示部に表示させる未取得表示制御部を備える。
【００１１】
上記機器管理装置において、弁情報は、パーシャルストロークテストの実施予定の日時情報を含む。
【発明の効果】
【００１２】
以上説明したことにより、本発明によれば、対象とする全てのパーシャルストロークテストの結果が、機器管理装置において容易に確認できるという優れた効果が得られる。
【図面の簡単な説明】
【００１３】
【図１】図１は、本発明の実施の形態における機器管理装置の構成を示す構成図である。
【図２】図２は、本発明の実施の形態における機器管理装置の動作例を説明するためのフローチャートである。
【発明を実施するための形態】
【００１４】
以下、本発明の実施の形態について図を参照して説明する。図１は、本発明の実施の形態における機器管理装置の構成を示す構成図である。この機器管理装置は、識別情報記憶部１０１、取得部１０２、テスト結果記憶部１０３、確認部１０４、表示制御部１０５、表示部１０６、入力部１０７を備える。また、機器管理装置は、未取得表示制御部１０８を備える。また、取得部１０２および確認部１０４は、ネットワーク１２１を介し、弁１５１ａのポジショナ１５２ａおよび弁１５１ｂのポジショナ１５２ｂと通信可能に接続されている。
【００１５】
識別情報記憶部１０１は、監視対象となる複数の弁を識別する弁識別情報が記憶されている。識別情報記憶部１０１には、例えば、弁１５１ａおよび弁１５１ｂを識別するための弁識別情報が記憶されている。弁識別情報としてデバイスタグがある。また、この弁識別情報には、各々の弁開度を制御する各ポジショナの情報が付随している。
【００１６】
取得部１０２は、識別情報記憶部１０１に記憶されている弁識別情報で特定される弁の開度を制御するポジショナに記憶されているパーシャルストロークテストの結果を含む弁情報を弁の弁識別情報と共にネットワーク１２１を介して取得する。ここで、取得部１０２は、設定されている周期で上述した弁情報の取得を実施する。弁情報取得実施の周期は、例えば、管理者やオペレータによる入力部１０７の操作により入力された設定値である。
【００１７】
例えば、弁１５１ａのポジショナ１５２ａに記憶されている弁１５１ａのパーシャルストロークテスト結果、および弁１５１ｂのポジショナ１５２ｂに記憶されている弁１５１ｂのパーシャルストロークテスト結果を取得する。また、ポジショナ１５２ａに記憶（設定）されている弁１５１ａのパーシャルストロークテストの実施予定の日時情報、およびポジショナ１５２ｂに記憶（設定）されている弁１５１ｂのパーシャルストロークテストの実施予定の日時情報を取得する。また、取得部１０２は、ポジショナに記憶されているアラート情報を取得する。
【００１８】
上述したように取得部１０２が取得した弁情報は、弁識別情報と共にテスト結果記憶部１０３に記憶される。
【００１９】
確認部１０４は、識別情報記憶部１０１に記憶されている弁識別情報で特定される弁の開度を制御するポジショナに記憶されているパーシャルストロークテストの結果に含まれるテスト実施日時が直前に取得を実施した日時より以後となっている弁識別情報を確認する。確認部１０４は、設定されている周期で取得部１０２が取得動作をする時点で、上述した確認を実施する。取得部１０２は、確認部１０４が確認した弁識別情報で特定される弁情報を取得する。
【００２０】
表示制御部１０５は、テスト結果記憶部１０３に記憶されている弁情報を弁識別情報毎に表示部１０６に表示させる。未取得表示制御部１０８は、確認部１０４が確認して取得部１０２が弁情報を取得していない弁識別情報の弁情報が表示されている領域に未取得があることを通知するための未取得表示を表示部１０６に表示させる。
【００２１】
次に、本発明の実施の形態における機器管理装置の動作例について図２のフローチャートを用いて説明する。
【００２２】
まず、ステップＳ２０１で、表示制御部１０５が、テスト結果記憶部１０３に記憶されているパーシャルストロークテストの結果を含む弁情報を弁識別情報毎に表示部１０６に表示させる。
【００２３】
次に、ステップＳ２０２で、取得部１０２が、弁情報取得の日時になったことを確認する。弁情報取得の日時になっている場合（ステップＳ２０２のｙ）、ステップＳ２０３で、確認部１０４が、識別情報記憶部１０１に記憶されている弁識別情報で特定される弁の開度を制御するポジショナに記憶されているパーシャルストロークテストの結果に含まれるテスト実施日時が直前に取得を実施した日時より以後となっている弁識別情報を確認する。なお、ポジショナにおける設定時刻（時間軸）と機器管理装置の設定時刻（時間軸）とがずれている場合がある。このような場合を考慮し、テスト実施日時の前後判断を、数秒の誤差であれば許容するようにしてもよい。
【００２４】
確認部１０４が、テスト実施日時が直前に取得を実施した日時より以後となっている弁識別情報を確認すると（ステップＳ２０３のｙ）、まず、ステップＳ２０４で、未取得表示制御部１０８が、確認部１０４が確認して取得部１０２が弁情報を取得していない弁識別情報の弁情報が表示されている領域に未取得があることを通知するための未取得表示を表示部１０６に表示させる。
【００２５】
ここで、表示部１０７には、識別情報記憶部１０１に記憶されている弁識別情報で特定される弁の弁情報の直前に取得された情報の一覧が表示される。例えば、「デバイスタグ」の項目に弁識別情報が表示され、「アラート」の項目にアラート発生状態が表示され、「ＰＳＴ実行日時」の項目にテスト実施日時が表示され、「次回ＰＳＴスケジュール日時」の項目にパーシャルストロークテストの実施予定の日時情報が表示される。また、直前の取得実施した日時より以後となっている弁識別情報の「結果データ」の項目に、弁情報が未取得であることを示す「未取得」が表示される。
【００２６】
次いで、ステップＳ２０５で、取得部１０２が、確認部１０４が確認した弁識別情報で特定される弁情報を取得する。取得部１０２は、識別情報記憶部１０１に記憶されている弁識別情報で特定される弁の開度を制御するポジショナに記憶されているパーシャルストロークテストの結果を含む弁情報を弁の弁識別情報と共にネットワーク１２１を介して取得する。次に、ステップＳ２０６で、取得部１０２が取得した弁情報が、弁識別情報と共にテスト結果記憶部１０３に記憶される。
【００２７】
次に、ステップＳ２０７で、表示制御部１０５が、テスト結果記憶部１０３に記憶されているパーシャルストロークテストの結果を含む新たな弁情報で、表示部１０６の表示を更新する。上述した弁情報動作を全ての対象について実施すると（ステップＳ２０８のｙ）、取得部１０２が、次の弁情報取得の日時になるまで待機する（ステップＳ２０２）。以上の動作を、終了が指示されるまで継続する（ステップＳ２０９）。
【００２８】
なお、上述した機器管理装置は、ＣＰＵ（Central Processing Unit；中央演算処理装置）と主記憶装置と外部記憶装置とネットワーク接続装置となどを備えたコンピュータ機器であり、主記憶装置に展開されたプログラムによりＣＰＵが動作することで、上述した各機能が実現される。また、各機能は、複数のコンピュータ機器に分散させるようにしてもよい。
【００２９】
以上に説明したように、本発明によれば、取得部が、設定されている周期で弁情報の取得を実施するようにしたので、対象とする全てのパーシャルストロークテストの結果が、機器管理装置において容易に確認できるようになる。また、管理者やオペレータが、弁情報取得を都度実施する必要が無いため、作業の負荷が軽減する。
【００３０】
例えば、システム全体の弁において、デバイスでＰＳＴがどのように実行されているか把握することが容易になる。また、プラントの緊急時に動作する緊急遮断弁がどのような状態なのかを一目で把握でき、管理者やオペレータに安心感を与えられる。また、スケジュール機能によるＰＳＴの実行予定や、実行の結果がどのようであったかが、管理者やオペレータにとって把握しやすくなる。複数の弁におけるＰＳＴのスケジュール実行日時が一目でわかり、次回ＰＳＴを実行するタイミングを各弁の間で調整することができる。
【００３１】
なお、テスト結果記憶部に記憶されている弁情報に含まれているアラート情報の有無を確認し、弁情報にアラート情報がある場合、弁識別情報の弁情報が表示されている領域にアラートが発生していることを示すアラート表示を表示するようにしてもよい。また、発生しているアラートの内容を表示するようにしてもよい。また、記憶しているパーシャルストロークテスト結果などの弁情報を、トレンドグラフなどにより表示するようにしてもよい。
【００３２】
また、機器管理装置において、アラートが発生している弁（ポジショナ）に対してアラート解除の指示が通知できるようにしてもよい。また、このアラート解除の指示通知が、複数の弁に対して実施できるようにしてもよい。また、パーシャルストロークテストのパターン作成および作成したパターンのパーシャルストロークテストが、機器管理装置側から実施できるようにしてもよい。また、機器管理装置から弁（ポジショナ）において実施されるパーシャルストロークテストのパラメータが設定できるようにしてもよい。
【００３３】
また、テスト結果記憶部に記憶されている弁情報におけるパーシャルストロークテストの実施予定の日時情報をもとに、パーシャルストロークテストが実施される直前に、機器管理装置による管理者やオペレータへの通知ができるようにしてもよい。例えば、メールシステムにより通知すればよい。また、テストが実施されたら、当該弁の弁情報を同様に通知してもよい。
【００３４】
また、例えば管理者の操作により、表示部に表示されている実施予定などの表示値を選択し、選択した項目について設定変更できるようにしてもよい。例えば、表示されている実施予定日が重複している場合、この重複が解消できるように、実施予定日が変更できる。このようにして変更した実施予定日などの設定は、機器管理装置が備える設定反映部により、対象となるポジショナ（フィールド機器）に反映される。設定反映部は、設定が変更された弁情報を、関連付けられている弁識別情報で特定される弁のポジショナに反映させる。
【００３５】
なお、本発明は以上に説明した実施の形態に限定されるものではなく、本発明の技術的思想内で、当分野において通常の知識を有する者により、多くの変形および組み合わせが実施可能であることは明白である。
【符号の説明】
【００３６】
１０１…識別情報記憶部、１０２…取得部、１０３…テスト結果記憶部、１０４…確認部、１０５…表示制御部、１０６…表示部、１０７…入力部、１０８…未取得表示制御部、１２１…ネットワーク、１５１ａ，１５１ｂ…弁、１５２ａ，１５２ｂ…ポジショナ。
【図１】
0006738207.tif 000002
【図２】
0006738207.tif 000003